(57)【特許請求の範囲】
【請求項１】
手差しトレイを備えたインクジェット記録装置の搬送装置であって、
シートを搬送する搬送ローラと、
前記手差しトレイから挿入された前記シートの経路である手差し経路と、
前記手差し経路の下部に形成された、前記手差し経路とは異なる退避経路と、を有し、
前記搬送ローラは、前記シートの搬送以外の他の動作を行う動作機構と駆動源を共通とし、前記他の動作と連動しており、
前記退避経路は、前記手差し経路と一部を共用し、前記動作機構による前記他の動作により前記搬送ローラが逆転した際に、前記シートの後端を逃がすように形成されている
ことを特徴とするインクジェット記録装置の搬送装置。
【請求項２】
請求項１記載のインクジェット記録装置の搬送装置において、
前記退避経路は、
前記手差し経路の前記共用部分の前記搬送ローラ側に、前記シートを検出するシート検出手段を３方向から囲むように突出した搬送端部を有すると共に、裏側に給紙トレイから供給された前記シートの経路である給紙経路を形成する面を一体的に有する、メンテナンス用開放部によって構成されている
ことを特徴とするインクジェット記録装置の搬送装置。
【請求項３】
請求項１又は２記載のインクジェット記録装置の搬送装置において、
前記シート検出手段は、
前記手差し経路への前記シート挿入時に前記搬送ローラ側に傾動可能な接触スイッチであり、
前記搬送端部は、
前記接触スイッチが傾動した際に前記シートを先端部より突き出す
ことを特徴とするインクジェット記録装置の搬送装置。
【請求項４】
請求項１乃至３のいずれか１項記載のインクジェット記録装置の搬送装置において、
前記動作機構はメンテナンス機構であり、前記他の動作は、記録ヘッドに対して行うメンテナンス動作である
ことを特徴とするインクジェット記録装置の搬送装置。
【請求項５】
請求項４記載のインクジェット記録装置の搬送装置において、
前記メンテナンス動作は、
前記記録ヘッドのノズル面からのインク排出である
ことを特徴とするインクジェット記録装置の搬送装置。
【発明の詳細な説明】
【技術分野】
【０００１】
本発明は、記録ヘッドからインクを吐出してシートに画像記録を行うインクジェット記録装置の搬送装置に関する。
【背景技術】
【０００２】
記録ヘッドからインクを吐出してシートに画像記録を行うインクジェット記録装置が知られている。このインクジェット記録装置では、記録ヘッドにおいて気泡やインクの詰まりが生じる場合がある。これらは、記録ヘッドからのインクの吐出に対して障害となる。このような障害を防止又は回復するために、記録ヘッドから気泡やインクを除去するパージが行われる。パージはメンテナンス機構によって実現される。
【０００３】
一方、従来よりインクジェット記録装置として、給紙トレイに積載されたシートに加え、ユーザにより手差しトレイから挿入されたシートに対して画像記録を行うものが知られている（例えば、特許文献１参照）。この従来技術のインクジェット記録装置が備えた搬送装置は、手差しトレイからの用紙の搬送路と、給紙トレイからのシートの搬送路と、搬送ローラとを有しており、上記２つの搬送路が搬送ローラの手前で合流し、その下流で画像記録が行われる。
【先行技術文献】
【特許文献】
【０００４】
【特許文献１】特開平８−１１３３７９号公報
【発明の概要】
【発明が解決しようとする課題】
【０００５】
一般に、手差しトレイを用いるのは厚紙等の特殊紙が多く、通常の用紙と比べて高価であり、また予備が少ない等、再印刷を避けることが重要となっている。
【０００６】
上記従来技術のインクジェット記録装置では、手差しトレイが非使用時に装置本体に収納可能な構成となっている。一方で、手差しトレイより挿入されるシートは上述のように厚紙等の特殊紙が多いため、手差しトレイから挿入されたシートの経路（以下「手差し経路」という）の傾きは、装置本体内において水平に近い構成となっている。このため、手差し経路は、開閉可能な手差しトレイ部分と装置本体内の水平部分との間で角度が変わり、非連続となっている。
【０００７】
手差しトレイを用いる場合、ユーザは任意のタイミングで手差しできるため、メンテナンス機構によってメンテナンスが実行されている最中に、シートを手差し経路に沿って搬送ローラに当接するまで差し込むことができる。このとき、搬送ローラが、他の機構、例えば上記メンテナンス機構と駆動源を共用している場合には、意図せずにシートが搬送されるおそれがある。このとき、駆動源の動作によっては搬送ローラが正転あるいは逆転し、状況によっては上記手差し経路の非連続部分に戻されたシートがぶつかり、詰まりやシートを使用不能にするおそれがあった。
【０００８】
本発明の目的は、シート搬送以外の他の動作中に手差しトレイよりシートが挿入されても、手差し経路の途中で詰まりを生じたり、シートを使用不能にするのを防止することができるインクジェット記録装置の搬送装置を提供することにある。
【課題を解決するための手段】
【０００９】
上記目的を達成するために、第１発明のインクジェット記録装置の搬送装置は、手差しトレイを備えたインクジェット記録装置の搬送装置であって、シートを搬送する搬送ローラと、前記手差しトレイから挿入された前記シートの経路である手差し経路と、前記手差し経路の下部に形成された、前記手差し経路とは異なる退避経路と、を有し、前記搬送ローラは、前記シートの搬送以外の他の動作を行う動作機構と駆動源を共通とし、前記他の動作と連動しており、前記退避経路は、前記手差し経路と一部を共用し、前記動作機構による前記他の動作により前記搬送ローラが逆転した際に、前記シートの後端を逃がすように形成されていることを特徴とする。
【００１０】
本願第１発明のインクジェット記録装置の搬送装置においては、搬送ローラが、シートの搬送以外の他の動作を行う動作機構と駆動源を共通とし、他の動作と連動している。このため、動作機構が他の動作を行っている最中に、ユーザがシートを手差しトレイより挿入した場合、連動する搬送ローラにより意図せずにシートが搬送されるおそれがある。このとき、駆動源の動作によっては搬送ローラが正転あるいは逆転し、状況によっては手差し経路の非連続部分に戻されたシートがぶつかり、詰まりやシートを使用不能にするおそれがある。
【００１１】
本願第１発明においては、手差し経路の下部に当該手差し経路とは異なる退避経路を形成し、この退避経路が、手差し経路と一部を共用し、動作機構による他の動作により搬送ローラが逆転した際に、逆方向に搬送されたシートの後端を逃がすように形成されている。これにより、シート後端が上流側（通常搬送方向とは逆方向＝手差し位置側）へ戻るように搬送ローラが動作した場合でも、シート後端を退避経路側に逃がすことができ、手差し経路の途中で詰まりを生じたり、シートを使用不能にするのを防止することができる。
【００１２】
第２発明のインクジェット記録装置の搬送装置は、上記第１発明において、前記退避経路は、前記手差し経路の前記共用部分の前記搬送ローラ側に、前記シートを検出するシート検出手段を３方向から囲むように突出した搬送端部を有すると共に、裏側に給紙トレイから供給された前記シートの経路である給紙経路を形成する面を一体的に有する、メンテナンス用開放部によって構成されていることを特徴とする。
【００１３】
本願第２発明においては、退避経路が、裏側に給紙経路を形成する面を一体的に有するメンテナンス用開放部によって構成されている。これにより、メンテナンス用開放部を開放することにより退避経路と給紙経路の両方を一度に開放することができ、退避経路や給紙経路で生じた詰まりを一度に解消することができる。また、メンテナンス用開放部は、シートを検出するシート検出手段を３方向から囲むように突出した搬送端部を有している。この搬送端部により、シート検出手段に対するシートの位置決めを行うことができると共に、シート後端が上流側へ戻るように搬送ローラが動作した場合に、その後端を給紙経路側でなく退避経路側に誘導することができる。
【００１４】
第３発明のインクジェット記録装置の搬送装置は、上記第１又は第２発明において、前記シート検出手段は、前記手差し経路への前記シート挿入時に前記搬送ローラ側に傾動可能な接触スイッチであり、前記搬送端部は、前記接触スイッチが傾動した際に前記シートを先端部より突き出すことを特徴とする。
【００１５】
本願第３発明においては、シート検出手段として、手差し経路へのシート挿入時に搬送ローラ側に傾動可能な接触スイッチを用いる。この接触スイッチは、手差しトレイより挿入されたシートの先端が接触して搬送ローラ側に傾動することでオンとなり、シートが下流側に搬送され後端が通り過ぎることにより元の姿勢に戻り、オフとなる。そして、搬送端部は、接触スイッチが傾動した際にシートを先端部より突き出す。これにより、手差しトレイよりシートが挿入されて搬送端部より搬送ローラに突き出された際に、接触スイッチによりシートを確実に検出することができる。
【００１６】
第４発明のインクジェット記録装置の搬送装置は、上記第１乃至第３発明のいずれかにおいて、前記動作機構はメンテナンス機構であり、前記他の動作は、記録ヘッドに対して行うメンテナンス動作であることを特徴とする。
【００１７】
インクジェット記録装置においては、記録ヘッドより気泡やインクを除去するために、メンテナンスが行われる。メンテナンスは、メンテナンス機構によって実行される。本願第４発明においては、メンテナンス機構によるメンテナンス動作により搬送ローラが逆転した際に、シートの後端を退避経路に逃がすことができる。これにより、メンテナンス中に手差しトレイよりシートが挿入されても、手差し経路の途中で詰まりを生じたり、シートを使用不能にするのを防止することができる。
【００１８】
第５発明のインクジェット記録装置の搬送装置は、上記第４発明において、前記メンテナンス動作は、前記記録ヘッドのノズル面からのインク排出であることを特徴とする。
【００１９】
インクジェット記録装置においては、記録ヘッドのノズル面からインクを排出するために、吸引パージが行われる。吸引パージは、メンテナンス機構によって実行される。本願第５発明においては、メンテナンス機構による吸引パージ動作により搬送ローラが逆転した際に、シートの後端を退避経路に逃がすことができる。これにより、吸引パージ中に手差しトレイよりシートが挿入されても、手差し経路の途中で詰まりを生じたり、シートを使用不能にするのを防止することができる。
【発明の効果】
【００２０】
本発明によれば、シート搬送以外の他の動作中に手差しトレイよりシートが挿入されても、手差し経路の途中で詰まりを生じたり、シートを使用不能にするのを防止することができる。
【図面の簡単な説明】
【００２１】
【図１】本発明のインクジェット記録装置の一実施形態としての複合機の外観を示す斜視図である。
【図２】複合機の外観を示す背面図である。
【図３】画像読取部を開放した状態の複合機の外観を示す斜視図である。
【図４】ジャム処理カバーの詳細構造を表す、図３中Ａ方向からの矢視図である。
【図５】プリンタ部の内部構造を模式的に示す縦断面図である。
【図６】シートセンサ近傍の構造を概念的に示す縦断面図である。
【図７】プリンタ部の内部構成を示す部分平面図である。
【図８】メンテナンスの動作手順を表すフローチャートである。
【発明を実施するための形態】
【００２２】
以下、本発明の一実施の形態を図面を参照しつつ説明する。
【００２３】
図１及び図２を参照しつつ、本発明のインクジェット記録装置の搬送装置の一実施形態を備えた複合機１０の外観構成について説明する。なお、以下の説明においては、複合機１０が使用可能に設置された状態（図１の状態）を基準として上下方向７を定義し、操作パネル１２１が設けられている側を手前側（正面）として前後方向８を定義し、複合機１０を手前側（正面）から見て左右方向９を定義する。
【００２４】
図１に示すように、複合機１０は、高さ（上下方向７の長さ）に対して横幅（左右方向９の長さ）及び奥行き（前後方向８の長さ）が大きい薄型の直方体に概ね形成されている。複合機１０の上部に画像読取部１２、下部にインクジェット記録方式のプリンタ部１１が設けられ、プリンタ部１１は、正面及び背面に開口が形成されたケーシング１４を有する。このケーシング１４内にプリンタ部１１の各構成要素が配設されている。複合機１０は、ファクシミリ機能、プリンタ機能、スキャナ機能、及びコピー機能などの各種の機能を有している。なお、本実施形態では、プリンタ機能として片面画像記録機能のみ有している複合機１０が説明されるが、複合機１０は両面画像記録機能を有していてもよい。
【００２５】
［画像読取部１２の構成］
画像読取部１２はプリンタ部１１の上部に配設されており、スキャナ部１２２を備えている。スキャナ部１２２は、フラットベッドスキャナ（ＦＢＳ：Ｆｌａｔ  Ｂｅｄ  Ｓｃａｎｎｅｒ）及び自動原稿搬送装置（ＡＤＦ：Ａｕｔｏｍａｔｉｃ  Ｄｏｃｕｍｅｎｔ  Ｆｅｅｄｅｒ）として構成されているが、本発明においてスキャナ部１２２は、原稿に記録された画像を読み取るものであれば任意の
構成である。本明細書においては、その詳細な説明が省略される。
【００２６】
［操作パネル１２１の構成］
複合機１０の上面の前方側であって、スキャナ部１２２の正面側の上面には、プリンタ部１１やスキャナ部１２２を操作するための操作パネル１２１が設けられている。操作パネル１２１は、各種操作ボタンや液晶表示部から構成されている。複合機１０は、操作パネル１２１からの指示入力によって動作する。
【００２７】
［プリンタ部１１の構成］
プリンタ部１１の正面の開口（不図示）からケーシング１４の内部側へ連続するように収容室（不図示）が区画されている。この収容室に給紙トレイ７８（後述の図５参照）が装着されている。給紙トレイ７８は、正面の開口からケーシング１４内に前後方向８に挿抜可能に構成されている。給紙トレイ７８は、各種サイズのシートを保持可能である。なお、本実施形態では、１つの給紙トレイ７８のみを装着可能な複合機１０が説明されるが、複合機１０は複数の給紙トレイ７８を装着可能であってもよい。例えば、後述の図６に示すように、複合機１０は、第１給紙トレイ７８Ａと、その上方で前後方向８へスライド可能な第２給紙トレイ７８Ｂとを有していてもよい。
【００２８】
プリンタ部１１の背面１４Ａには、凹部１２２Ｂが設けられている。凹部１２２Ｂは、スキャナ部１２２と給紙トレイ７８の間の高さに設けられており、右側面１４ＡＡ、左側面１４ＡＢ及び奥面１４ＡＣで構成されている。
【００２９】
プリンタ部１１の背面１４Ａには、手差しトレイ２０が装置本体１０Ａに対して開閉可能に設けられている。ここで装置本体１０Ａとは、複合機１０全体における手差しトレイ２０以外の部分を指す。後述の図５に示すように、手差しトレイ２０は、基軸２１（図３参照）を回動中心軸として回転することで開閉される。図１及び図２には、手差しトレイ２０が閉じられた状態が示されている。図３及び後述の図５には、手差しトレイ２０が開放された状態が示されている。なお図５には、手差しトレイ２０が開けられた状態が実線で、閉じられた状態が破線で示されている。手差しトレイ２０には、開けられた状態において各種サイズのシートを載置可能である。一般に手差しトレイ２０には、厚紙等の特殊紙が載置される。プリンタ部１１の背面１４Ａにおいて、手差しトレイ２０の基端部（下方側の端部）に対向する位置には、背面開口１３が設けられている。シートは、複合機１０のユーザによって、手差しトレイ２０の載置面に担持されつつ、背面開口１３から前方に向けてプリンタ部１１内に挿入される。
【００３０】
図２に示すように、手差しトレイ２０には、当該手差しトレイ２０と装置本体１０Ａとが接続される部分、具体的には、手差しトレイ２０の回動中心軸である上記基軸２１，２１の間に、後方排紙口２３が設けられている。この後方排紙口２３は、手差しトレイ２０から挿入されたシートの経路である手差し経路Ｐ１（後述の図５及び図６参照）と一部を共用し、メンテナンス機構１８０によるメンテナンス動作により後述する第１搬送ローラ６０が逆転した際に、シートの後端を逃がす退避経路Ｐ３（図５及び図６参照）の出口として形成されている。
【００３１】
なお、本実施形態では、上記後方排紙口２３を手差しトレイ２０側に凹部を形成することにより設けているが、装置本体１０Ａ側に凹部を形成して後方排紙口を設けてもよい。
【００３２】
次に、図３乃至図７を参照しつつ、プリンタ部１１の内部構成を詳細に説明する。なお、図５においては、給紙トレイ７８の前方側（紙面右側）の図示を省略している。
【００３３】
プリンタ部１１は、給紙トレイ７８に加えて、給紙トレイ７８からシートをピックアップして給紙（給送）する給送部１５と、給送部１５によって給紙されたシートにインク滴を吐出してシートに画像を形成するインクジェット記録方式の記録部２４などを備えている。これらがケーシング１４内に設けられている。
【００３４】
［搬送経路６５］
プリンタ部１１の内部には、給紙トレイ７８及び手差しトレイ２０から記録部２４及び前方排紙口８５を経て排紙保持部７９に至る搬送経路６５が形成されている。搬送経路６５は、給紙トレイ７８の先端（後方側の端部）から記録部２４に至る間に形成された給紙経路Ｐ２と、手差しトレイ２０から挿入されたシートの経路である手差し経路Ｐ１と、手差し経路Ｐ１の下部に形成された当該手差し経路Ｐ１とは異なる退避経路Ｐ３と、記録部２４から前方排紙口８５に至る間に形成された排紙経路６５Ｃとに区分される。手差し経路Ｐ１と退避経路Ｐ３とはその一部を共用しており、これら手差し経路Ｐ１及び退避経路Ｐ３の先端（前方側の端部）と給紙経路Ｐ２とは、合流位置３６で合流する。なお、排紙保持部７９は、給紙トレイ７８と一体に構成されていてもよく、或いはプリンタ部１１のフレームなどに固定されたものであってもよい。
【００３５】
図５に示すように、給紙経路Ｐ２は、給紙トレイ７８に設けられた分離傾斜板２２の上端付近から記録部２４に渡って延設された湾曲状の経路である。シートは、給紙トレイ７８から後方に向けて搬送される。シートは、装置の背面側において、給紙経路Ｐ２によって装置の下方から上方へＵターンされる。その後、シートは、前方に向けて搬送される。給紙経路Ｐ２は、所定間隔を隔てて互いに対向する外側ガイド部材１８及び内側ガイド部材１９によって区画されている。なお、外側ガイド部材１８は、特許請求の範囲に記載の給紙経路を形成する面に相当する。
【００３６】
手差し経路Ｐ１は、給紙経路Ｐ２の上部に形成されている。シートは、複合機１０のユーザによって、手差しトレイ２０に担持されつつ、背面開口１３から前方に向けて挿入される。この挿入されたシートは、手差し経路Ｐ１を介して、第１搬送ローラ６０とピンチローラ６１のニップ位置６０Ａに挿入される。第１搬送ローラ６０は、正転及び逆転することにより、シートを順方向及び逆方向に搬送する。なお、順方向とはシートを搬送方向の下流側へ搬送させる向き（図５中二点鎖線の矢印に示す方向）をいい、逆方向とは、上記順方向と反対方向である、シートを搬送方向の上流側へ搬送させる向きをいう。また、第１搬送ローラ６０は、特許請求の範囲に記載の搬送ローラに相当する。
【００３７】
手差し経路Ｐ１は、所定間隔を隔てて互いに対向する第１下側ガイド部材８０及び第１上側ガイド部材８１によって区画されている。上述したように、手差しトレイ２０より挿入されるシートは厚紙等の特殊紙が多いため、手差し経路Ｐ１の傾きは、装置本体１０Ａ内において水平に近い構成となっている。一方で、手差しトレイ２０は装置本体１０Ａに対し開閉可能な構成である。このため、手差し経路Ｐ１は、開閉可能な手差しトレイ２０部分と装置本体１０Ａ内の略水平部分との間で角度が変わり、非連続部Ｐ１Ｘを形成している。
【００３８】
外側ガイド部材１８は、給紙経路Ｐ２の複合機１０背面側の壁面を構成し、第１下側ガイド部材８０は、手差し経路Ｐ１及び退避経路Ｐ３の下側の壁面を構成しており、これら両壁面部はジャム処理カバー１４Ｂの構成要素となっている。
【００３９】
ジャム処理カバー１４Ｂは、装置本体１０Ａの後端部に回動可能に設けられる。このジャム処理カバー１４Ｂは、手差し経路Ｐ１に侵入した例えばクリップ・ステープラーの針等のシート以外の異物を取り込んで貯留するための異物収集部１４Ｃを、その内部にボックス状に形成している。この異物収集部１４Ｃは、手差し経路Ｐ１に開口し、手差し経路Ｐ１に沿って侵入した異物を取り込むように構成されている。なお、ジャム処理カバー１４Ｂは、特許請求の範囲に記載のメンテナンス用開放部に相当する。
【００４０】
また、図３及び図４に示すように、ジャム処理カバー１４Ｂは、その第１搬送ローラ６０側の端部から突出した突出部１４Ｄを有している。図４に示すように、この突出部１４Ｄは、上記合流位置３６近傍に配置された後述するシートセンサ１１０を３方向から囲むように二股状に突出して設けられており、当該シートセンサ１１０に対するシートの位置決めを行う。これにより、シートのシートセンサ１１０への干渉を防止し搬送阻害を防止している。なお、突出部１４Ｄが、特許請求の範囲に記載の搬送端部に相当する。
【００４１】
また図４及び図５に示すように、上記突出部１４Ｄの先端部は、その給紙経路Ｐ２側の面１４ＤＡは略水平に形成されているが、その手差し経路Ｐ１及び退避経路Ｐ３側の面１４ＤＢは給紙経路Ｐ２側に傾斜して形成されている。このような先端形状とした結果、後端が合流位置３６の順方向下流側まで搬送されたシートが逆方向に搬送された際に、シートを退避経路Ｐ３側に誘導する機能を有している。
【００４２】
さらに、突出部１４Ｄの左右両側位置には、前記合流位置近傍におけるシートの接触面積を小さくして摩擦による搬送抵抗を低減するための凹部１４Ｅが形成されている。
【００４３】
排紙経路６５Ｃは、記録部２４よりも下流側に設けられた第２下側ガイド部材８３と第３上側ガイド部材８４とによって区画されている。排紙経路６５Ｃは、第２搬送ローラ６２によって搬送された画像記録済のシートの下面を支持しつつ、下流側へ案内する。第３上側ガイド部材８４と第２下側ガイド部材８３とは、シートが通過可能な所定間隔を隔てて互いに対向するように配置されている。
【００４４】
［給送部１５］
給送部１５は、給紙トレイ７８に収容されたシートを給紙経路Ｐ２へ向けて搬送するためのものであり、給紙ローラ２５と、給紙アーム２６と、給紙駆動伝達機構２７とを備えている。給紙ローラ２５は、給紙トレイ７８の上側に配置されている。給紙ローラ２５は、給紙トレイ７８に収容されたシートをピックアップして給紙経路Ｐ２へ給紙するものであり、給紙アーム２６の先端に回転自在に軸支されている。給紙ローラ２５は、給紙用モータ（不図示）の回転力が給紙駆動伝達機構２７を介して伝達されると回転駆動される。なお、給紙駆動伝達機構２７は、給紙アーム２６に軸支されており、概ね給紙アーム２６の延出方向に沿って直線状に並ぶ複数のギヤで構成されている。給紙ローラ２５は、基軸２８を回動中心軸として回動し、給紙トレイ７８に収容されたシートの上面に圧接可能である。
【００４５】
［シートセンサ１１０］
図６に示すように、第１搬送ローラ６０の近傍における突出部１４Ｄの下方には、給紙トレイ７８から給紙され給紙経路Ｐ２を搬送されるシート、又は、手差しトレイ２０から手差し経路Ｐ１を介して挿入されるシートの有無を検出するシートセンサ１１０が設けられている。シートセンサ１１０は、回転軸部１１０ａを中心に傾動可能な接触スイッチで構成されている。図６に示すように、手差し経路Ｐ１からのシート挿入時あるいは給紙経路Ｐ２からのシート供給時に、シートが順方向（図６中右方向）に挿入されると、シートの先端がシートセンサ１１０に接触し、第１搬送ローラ６０側に傾斜する（図６中破線の１１０ａに示す状態）。シートが第１搬送ローラ６０とピンチローラ６１とのニップ位置６０Ａに到達すると、シートセンサ１１０はその先端がシート下部に位置するまで傾斜する（図６中破線の１１０ｂに示す状態）。突出部１４Ｄは、シートセンサ１１０が上記１１０ｂの状態まで傾動した際に、シートを先端部より第１搬送ローラ６０側に突き出す。シートセンサ１１０は、上記１１０ａ及び１１０ｂに示す状態においてはＯＮとなり、信号を制御部（図示せず）に出力し、制御部はシートが有の状態であると判断する。
【００４６】
一方、シートが搬送され、シートの後端が第１搬送ローラ６０とピンチローラ６１とのニップ位置６０Ａを通り過ぎると、シートセンサ１１０は図示しないバネの付勢力によって元の姿勢に戻る（図６中実線の１１０に示す状態）。また、後述するメンテナンス機構１８０によるメンテナンス動作により第１搬送ローラ６０が逆転し、シートが逆方向（図６中左方向）に搬送されて、シートの後端が退避経路Ｐ３に逃がされると、シートセンサ１１０はその先端がシート下部に位置するまで装置背面側に傾斜する（図６中破線の１１０ｃに示す状態）。シートセンサ１１０は、実線の１１０及び破線１１０ｃに示す状態においてはＯＦＦとなり、信号を制御部（図示せず）に出力しない。その結果、制御部はシートが無の状態であると判断する。
【００４７】
このシートセンサ１１０は、第１搬送ローラ６０近傍に設けられているので、第１搬送ローラ６０により順方向に搬送されているシートの検出状態が有から無に変化した場合、シートが搬送経路６５における第１搬送ローラ６０を超えた位置まで搬送されたとみなすことが可能である。なお、このシートセンサ１１０が、特許請求の範囲に記載のシート検出手段に相当する。
【００４８】
［記録部２４］
図７に示すように、記録部２４は、記録ヘッド３９を搭載してシートの搬送方向と直交する方向（主走査方向）へ往復動するキャリッジ３１を備えている。記録ヘッド３９には、インクカートリッジ（不図示）からインクチューブ３３を通じてシアン（Ｃ）・マゼンタ（Ｍ）・イエロー（Ｙ）・ブラック（Ｂｋ）の各色インクが供給される。キャリッジ３１は主走査方向に延出されたガイドレール３５、３６に沿って往復動する。これにより、記録ヘッド３９がシートに対して走査され、記録部２４の下方に設けられたプラテン３４上を搬送されるシートに画像記録が行われる。
【００４９】
図７に示すように、記録ヘッド３９は、キャリッジ３１の下面側に露出されている。記録ヘッド３９のノズル面４８には、複数のノズル（不図示）が設けられている。各ノズルは、ＣＭＹＢｋの各色インクごとに設けられている。各ノズルから各色インクが微小なインク滴として吐出される。
【００５０】
図７に示すように、ガイドレール３６には、端部３７に沿ってリニアエンコーダのエンコーダストリップ４２が配設されている。リニアエンコーダは、キャリッジ３１に設けられたフォトインタラプタ４３によりエンコーダストリップ４２を検出する。リニアエンコーダの検出信号に基づいて、キャリッジ３１の往復動が制御される。
【００５１】
図５に示すように、給紙経路Ｐ２の終端と記録部２４との間には、第１搬送ローラ６０及びピンチローラ６１が設けられている。これらは対をなしている。ピンチローラ６１は、第１搬送ローラ６０の下方に配置されており、図示しないバネなどの弾性部材によって第１搬送ローラ６０のローラ面に圧接されている。第１搬送ローラ６０及びピンチローラ６１は、給紙経路Ｐ２又は手差し経路Ｐ１を搬送してきたシートを狭持してプラテン３４上へ送る。また、記録部２４と排紙経路６５Ｃの始端との間には、第２搬送ローラ６２及び拍車ローラ６３が設けられている。これらは対をなしている。第２搬送ローラ６２及び拍車ローラ６３は、記録済みのシートを狭持してさらに搬送方向の下流側（前方排紙口８５側）へ搬送する。
【００５２】
第１搬送ローラ６０及び第２搬送ローラ６２は、搬送用モータ（不図示）から駆動伝達機構（不図示）を介して回転駆動力が伝達されて回転される。第１搬送ローラ６０及び第２搬送ローラ６２は、画像記録時に間欠駆動される。そのため、シートは、所定の改行幅で送られながら画像記録が行われる。
【００５３】
［駆動伝達機構］
駆動伝達機構は、遊星ギヤなどから構成されており、搬送用モータの正転の回転駆動力を後述するポンプ（不図示）に伝達し、逆転の回転駆動力を後述するポート切換機構（不図示）に伝達する。なお、第１搬送ローラ６０及び第２搬送ローラ６２は、搬送用モータの正転の回転駆動力によって、シートを順方向へ搬送させる向きに回転し、搬送用モータの逆転の回転駆動力によって、シートを逆方向へ搬送させる向きに回転する。この駆動伝達機構により、第１搬送ローラ６０、ポンプ、及びポート切換機構に共通の駆動源である搬送用モータを使用することが可能となっている。なお、上記搬送用モータの回転方向とポンプ又はポート切換機構への駆動伝達との対応関係は、上記と逆でもよいのは言うまでもない。また、搬送用モータが特許請求の範囲に記載の駆動源に相当する。
【００５４】
［メンテナンス機構１８０］
図７に示すように、プラテン３４の左右方向９の両側のシートが通過しない領
域、つまり記録部２４の往復移動範囲における退避位置には、メンテナンス機構１８０が配設される。メンテナンス機構１８０は、パージ機構４４と廃液タンク（不図示）などを備えており、排気パージや吸引パージを含むメンテナンスを実行する。
【００５５】
パージ機構４４は、記録ヘッド３９のノズルやサブタンク（不図示）からインクと共に気泡や異物を吸引除去する。図７に示すように、パージ機構４４は、記録ヘッド３９のノズル面４８（図５参照）を覆う吸引キャップ４６と、記録ヘッド３９に設けたサブタンク（不図示）の排気孔を覆う排気キャップ５３と、吸引キャップ４６または排気キャップ５３に接続されて吸引を行うポンプ（不図示）と、吸引キャップ４６および排気キャップ５３を記録ヘッド３９に接離させるためのリフトアップ機構などを有する。
【００５６】
吸引キャップ４６は、ゴムにより構成されている。吸引キャップ４６は、リフトアップ機構によりノズル面４８に密着する。吸引キャップ４６の内部は、カラーインク（ＣＭＹ）のノズルと黒インク（Ｂｋ）のノズルとに応じて２つの空間に区画されており、カラーインク及び黒インクに対応してそれぞれノズル面４８との間に空間が形成される。図示されていないが、吸引キャップ４６の各空間の底部には吸気口が設けられており、各吸気口は、ポート切換機構を介してポンプに接続されている。排気キャップ５３もゴムにより構成されている。排気キャップ５３は、記録ヘッド３９の上記排気孔に密着する。
【００５７】
次に、図８を用いて、メンテナンス機構１８０により実行されるメンテナンス動作の手順について説明する。
【００５８】
まずステップＳ１０において、制御部の制御により搬送用モータが逆転駆動され、当該駆動が駆動伝達機構によりポート切換機構に伝達されて、排気パージモードへポート切換が行われる。これにより、第１搬送ローラ６０が逆転駆動し、シートが逆方向へ搬送される。
【００５９】
次にステップＳ２０において、制御部の制御により搬送用モータが正転駆動され、当該駆動が駆動伝達機構によりポンプに伝達されて、ポンプが駆動される。これにより、排気キャップ５３を介して記録ヘッド３９のサブタンクから気泡を吸引する排気パージが行われる。また、第１搬送ローラ６０が正転駆動し、シートが順方向へ搬送される。
【００６０】
次にステップＳ３０において、制御部の制御により搬送用モータが逆転駆動され、当該駆動が駆動伝達機構によりポート切換機構に伝達されて、吸引パージモードへポート切換が行われる。これにより、第１搬送ローラ６０が逆転駆動し、シートが逆方向へ搬送される。
【００６１】
次にステップＳ４０において、制御部の制御により搬送用モータが正転駆動され、当該駆動が駆動伝達機構によりポンプに伝達されて、ポンプが駆動される。これにより、吸引キャップ４６を介して記録ヘッド３９のノズル面４８からインクを吸引する吸引パージが行われる。また、第１搬送ローラ６０が正転駆動し、シートが順方向へ搬送される。
【００６２】
次にステップＳ５０において、制御部の制御により搬送用モータが逆転駆動され、当該駆動が駆動伝達機構によりポート切換機構に伝達されて、通常印刷モードへポート切換が行われる。これにより、メンテナンス動作が終了される。
【００６３】
以上のように、メンテナンスの最中には、ポンプや切換機構を動作させるために、搬送用モータは正転及び逆転の両方の駆動を行うこととなり、これらの駆動は駆動伝達部により第１搬送ローラ６０にも伝達されるため、第１搬送ローラ６０は正転及び逆転の両方の駆動を行う。このため、メンテナンスの最中に手差しトレイ２０よりシートが挿入されると、当該シートが順方向及び逆方向に搬送され、装置本体１０Ａ内を往復移動することになる。その結果、逆方向に搬送されたシートの先端が特に手差し経路Ｐ１の非連続部Ｐ１Ｘにおいて接触し、詰まりが生じるおそれがあるが、前述したように、手差しトレイ２０と装置本体１０Ａとの接続部分に後方排紙口２３を設けているため、退避経路Ｐ３を逆方向に搬送されたシートの先端を後方排紙口２３の開口内に受け入れたり、移動量が大きい場合にはシートの先端を後方排紙口２３を介して装置外に露出することも可能となる。このようにして、シートの装置本体１０Ａ内での逆方向への搬送を許容することができるので、メンテナンス動作中に手差しトレイ２０よりシートが挿入されても、シートが装置内で詰まることを防止することができる。
【００６４】
以上において、第１搬送ローラ６０と、手差し経路Ｐ１と、退避経路Ｐ３等とが、特許請求の範囲に記載のインクジェット記録装置の搬送装置を構成する。
【００６５】
［実施形態の効果］
本実施形態の複合機１０においては、第１搬送ローラ６０が、シートの搬送以外の他の動作であるメンテナンスを行うメンテナンス機構１８０と駆動源を共通としており、メンテナンス動作と連動している。このため、メンテナンス機構１８０がメンテナンス動作を行っている最中に、ユーザがシートを手差しトレイ２０より挿入した場合、連動する第１搬送ローラ６０により意図せずにシートが搬送されるおそれがある。このとき、搬送用モータの動作によっては第１搬送ローラ６０が正転あるいは逆転し、状況によっては手差し経路Ｐ１の非連続部Ｐ１Ｘに戻されたシートがぶつかり、詰まりやシートを使用不能にするおそれがある。
【００６６】
本実施形態においては、手差しトレイ２０の下部に後方排紙口２３を設けることにより、手差し経路Ｐ１の下部に当該手差し経路Ｐ１とは異なる退避経路Ｐ３を形成している。この退避経路Ｐ３は、メンテナンス機構１８０によるメンテナンス動作により第１搬送ローラ６０が逆転した際に、逆方向に搬送されたシートの後端を逃がすように形成されている。これにより、シート後端が上流側へ戻るように第１搬送ローラ６０が動作した場合でも、シート後端を退避経路Ｐ３側に逃がすことができ、手差し経路Ｐ１の途中で詰まりを生じたり、シートを使用不能にするのを防止することができる。
【００６７】
また、本実施形態では特に、退避経路Ｐ３が、裏側に給紙経路Ｐ２を形成する外側ガイド部材１８を一体的に有するジャム処理カバー１４Ｂによって構成されている。これにより、ジャム処理カバー１４Ｂを開放することにより退避経路Ｐ３と給紙経路Ｐ２の両方を一度に開放することができ、退避経路Ｐ３や給紙経路Ｐ２で生じた詰まりを一度に解消することができる。また、ジャム処理カバー１４Ｂは、シートを検出するシートセンサ１１０を３方向から囲むように突出した突出部１４Ｄを有している。この突出部１４Ｄにより、シートセンサ１１０に対するシートの位置決めを行うことができると共に、シート後端が上流側へ戻るように第１搬送ローラ６０が動作した場合に、その後端を給紙経路Ｐ２側でなく退避経路Ｐ３側に誘導することができる。
【００６８】
また、本実施形態では特に、シートセンサ１１０として、手差し経路Ｐ１へのシート挿入時に第１搬送ローラ６０側に傾動可能な接触スイッチを用いる。このシートセンサ１１０は、手差しトレイ２０より挿入されたシートの先端が接触して第１搬送ローラ６０側に傾動することでオンとなり、シートが下流側に搬送され後端が通り過ぎることにより元の姿勢に戻り、オフとなる。そして、突出部１４Ｄは、シートセンサ１１０が傾動した際にシートを先端部より突き出す。これにより、手差しトレイ２０よりシートが挿入されて突出部１４Ｄより第１搬送ローラ６０に突き出された際に、シートセンサ１１０によりシートを確実に検出することができる。
【００６９】
また、本実施形態では特に、メンテナンス機構１８０によるメンテナンス動作により第１搬送ローラ６０が逆転した際に、シートの後端を退避経路Ｐ３に逃がすことができる。これにより、メンテナンス中に手差しトレイ２０よりシートが挿入されても、手差し経路Ｐ１の途中で詰まりを生じたり、シートを使用不能にするのを防止することができる。
【００７０】
また、本実施形態では特に、メンテナンス機構１８０による吸引パージ動作により第１搬送ローラ６０が逆転した際に、シートの後端を退避経路Ｐ３に逃がすことができる。これにより、吸引パージ中に手差しトレイ２０よりシートが挿入されても、手差し経路Ｐ３の途中で詰まりを生じたり、シートを使用不能にするのを防止することができる。
【００７１】
なお、本発明は以上説明した実施形態に限定されるものではなく、発明の趣旨を逸脱しない範囲内において、種々の変更が加えられて実施されるものである。
【符号の説明】
【００７２】
１０            複合機（インクジェット記録装置）
１４Ｂ          ジャム処理カバー（メンテナンス用開放部）
１４Ｄ          突出部（搬送端部）
１８            外側ガイド部材（給紙経路を形成する面）
２０            手差しトレイ
３９            記録ヘッド
４８            ノズル面
６０            第１搬送ローラ（搬送ローラ、搬送装置）
１１０          シートセンサ（シート検出手段）
１８０          メンテナンス機構（動作機構）
Ｐ１            手差し経路（搬送装置）
Ｐ２            給紙経路
Ｐ３            退避経路（搬送装置）
【図１】
0005505635.tif 000002
【図２】
0005505635.tif 000003
【図３】
0005505635.tif 000004
【図４】
0005505635.tif 000005
【図５】
0005505635.tif 000006
【図６】
0005505635.tif 000007
【図７】
0005505635.tif 000008
【図８】
0005505635.tif 000009